Podtech/llm-jp-corpus-v4-ja_patent huggingface dataset:
(57)【要約】      （修正有）【課題】家庭での菜園や果樹を害鳥より保護する防鳥網支持装置であって、樹木の高さに応じて、安全かつ容易に設置できるようにする。【解決手段】防鳥網支持装置を傘の構造を用いて親骨１の間に防鳥網３を張り巡らした構造とし、使用時に防鳥網３を傘のように開き、中棒４を持ち樹木上部に移動した後、中棒４を地中に突き刺し、また枝等に縛り設置する。これにより容易に樹木上部に防鳥網３が設置できる。また、撤去も逆の手順により、容易に行う事が出来る。【選択図】図１
0003208826.tif 000002
【実用新案登録請求の範囲】
【請求項１】
開閉可能な傘の構造を有し、親骨１の間に防鳥網３を張り巡らされた防鳥網支持装置。
【請求項２】
防鳥網の取り付けられた親骨１の先端の露先７、または親骨１の間の防鳥網３に係止具１１を備え側部防鳥網１２の取り付け可能な防鳥網支持装置。
【考案の詳細な説明】
【技術分野】
【０００１】  本考案は、家庭での菜園や果樹を害鳥より保護する防鳥網支持装置である。
【背景技術】
【０００２】  防鳥網で樹木全体を覆う場合、特に樹木上部を防鳥網で覆う事は作業者の背丈以上の樹木に対しては、高所の作業となり小枝等の引っかかりもあり困難で危険を伴う。この為、家庭での樹木に対しては、そのまま放置されている場合が多い。【０００３】  防鳥網の支持装置では特許文献１のごとき考案があるが、支持装置設置後その上部に防鳥網を施す作業がある。また、特許文献２の考案では側部まで防鳥網が予め張り巡らされているのでこの構造物全体を樹木の高さ以上に持ち上げて設置する必要があり、また、樹木全体を覆う構造の為、この中に入る大きさの樹木に対して有効である。
【先行技術文献】
【特許文献】
【０００４】
【特許文献１】特開２００９−１４２２５４号公報
【特許文献２】実用新案登録第３１０６０５６号公報
【考案の概要】
【考案が解決しようとする課題】
【０００５】  一本立ちの樹木への防鳥網を設置する場に於いて、樹木の上部と側部に分けて考え、困難で危険を伴う樹木の上部への防鳥網の設置を樹木の高さに応じて、安全かつ容易に設置出来る防鳥網支持装置を考案する事を課題とした。
【課題を解決するための手段】
【０００６】  傘の構造を有する防鳥網支持装置を考案する事により、課題を解決する。閉じている防鳥網支持装置の下ろくろ５を上部にスライドさせ受骨２を介し親骨１を開く。親骨１と親骨１の間に張られた防鳥網３は親骨１と共に開かれる。中棒４を樹木の高さに応じて長さを調整し、中棒４を持ち樹木の上部の中心付近まで移動し、中棒４を地面に突き刺し、枝等に縛り固定し設置する。【０００７】  側部の防鳥網１２は、樹木の大きさに応じたものを用意し、防鳥網支持装置の防鳥網３に接するように係止し取付けて樹木を防鳥網で容易に覆う事が出来る。
【考案の効果】
【０００８】  樹木の上部への防鳥網の設置が容易になり、危険な作業もなくなった。設置が容易になったことにより果実に対する鳥害が発生する適時に防鳥網の設置が可能となり鳥害が防止出来る。中棒４を伸縮させる事により、高さの異なる樹木へ対応できるので収穫時期が異なれば、本防鳥網支持装置が年間何度も使用できる。また、撤去後の収納も傘の構造を有しているため傘を閉じた状態に防鳥網が仕舞えるので容易になった。
【図面の簡単な説明】
【０００９】
【図１】構造を示す図面である。
【図２】設置状態を示す図面である。
【図３】防鳥網を開いた時の図面である。
【図４】防鳥網を閉じた時の図面である。
【考案を実施するための形態】
【００１０】  図に於いて説明する。傘の構造を有し、下ろくろ５を上下に移動する事により、受骨２を介して親骨１が開閉する構造である。樹木上部を覆うため、防鳥網のたるみの防止と樹木の枝の張り出し具合を考慮し、親骨１の本数は８本とした。また親骨１の長さは９０ｃｍとし開いた時の直径が１．８ｍである。側部の防鳥網１２の取り付を容易にするための係止具１１はフック、ナスカン、カラビナ、面ファスナーなどが考えられるが、ここでは洗濯バサミを用いた。洗濯バサミは露先７、及び親骨１を開いた時の親骨１と親骨１の防鳥網３の端の中間部にそれぞれ設け、合計１６ヵ所とした。設置は防鳥網３を開き防鳥網支持装置の中棒４を継ぎ足して防鳥網３の部分を樹木の高さ以上にし、中棒４を持ち樹木の中心付近に位置決めする。設置は中棒４の先を地面に突き刺し、中棒４の中間部分を枝に縛り動かないようにした。側部の防鳥網１２は洗濯バサミを用い上部の防鳥網３に取り付をした。
【実施例】
【００１１】  実施例を示して報告する。樹高約２．３メ−トル、枝の広がり２．４メ−トル程度の柿の木に使用した。防鳥網支持装置の構造は親骨１の長さ９０ｃｍのビ−チパラソルに防鳥網３としてメッシュの大きさ２５ｍｍのポリエステル素材のものを用い傘布を取り外し代わりに取り付けた。
【産業上の利用可能性】
【００１２】  大規模な農園に於いては、防鳥網の設置は果樹園全体を覆う方法が採られているが、不整形地での端部では従来の方法が困難である。この様な箇所には個々の樹木毎に防鳥網の設置が必要となり、本考案はこれに対応して容易に防鳥網の設置が出来るため、従来諦めていた箇所にも植樹が出来、不整形地での果樹の生産性の向上が期待できる。
【符号の説明】
【００１３】  １  親骨
２  受骨
３  防鳥網
４  中棒
５  下ろくろ
６  中だぼ
７  露先
８  上ろくろ
９  上はじき
１０  下はじき
１１  係止具
１２  側部防鳥網
１３  樹木
【図１】
0003208826.tif 000003
【図２】
0003208826.tif 000004
【図３】
0003208826.tif 000005
【図４】
0003208826.tif 000006
(57)【要約】      （修正有）【課題】画面側面や裏面から出力される携帯端末の音声出力を使用者に聞き取り易い前方に出力することのできる携帯端末用スタンドを提供する。  【解決手段】携帯端末を保持する保持部１と保持部１を支持する支持部２を有し、保持部１、支持部２のいずれかまたはいずれにも中空構造部３を有した。また、携帯端末の音声出力が中空構造部３に接続され、中空構造部３を音道として携帯端末の画面前方に音声を出力する音声出力部４を有した。また、複数の音声出力を有した携帯端末に複数の中空構造部３と複数の音声出力部４を有した。また、保持部１はＣ型アングル材とＬ型アングル材で構成され、保持部１のＣ型アングル材が音声出力部４を兼ねている。【選択図】図１
0003208821.tif 000002
【実用新案登録請求の範囲】
【請求項１】
携帯端末を保持する保持部１と保持部１を支持する支持部２を有し、保持部１、支持部２のいずれかまたはいずれにも中空構造部３を有した携帯端末用スタンド。
【請求項２】
携帯端末の音声出力が中空構造部３に接続され、中空構造部３を音道として携帯端末の画面前方に音声を出力する音声出力部４を有した請求項１の携帯端末用スタンド。
【請求項３】
複数の音声出力を有した携帯端末に複数の中空構造部３と複数の音声出力部４を有した請求項２の携帯端末用スタンド。
【請求項４】
保持部１はＣ型アングル材とＬ型アングル材で構成され、保持部１のＣ型アングル材が音声出力部４を兼ねていることを特徴とする請求項２の携帯端末用スタンド。
【考案の詳細な説明】
【技術分野】
【０００１】  一般的に使用が広がっている携帯端末に使われるスタンドに関する技術である。
【背景技術】
【０００２】  従来は携帯端末カバーと兼ねたスタンドが主流であり、音声は携帯端末本体から直接、横方向に出力されていた。
【考案の概要】
【考案が解決しようとする課題】
【０００３】  操作をするためのタッチパネルと表示画面を備えた携帯端末は小型、薄型化するために音声出力部を画面側面や裏面に設けることが多く、表示画面を見る使用者にとっては音声を聞き取り辛い。また、周りの人には音が漏れ聞こえるために迷惑となる。
【課題を解決するための手段】
【０００４】  携帯端末を保持する保持部１と保持部１を支持する支持部２を有し、保持部１、支持部２のいずれかまたはいずれにも中空構造部３を有した携帯端末用スタンド。【０００５】  このように、携帯端末を手持ちではなく、机上で使用するには上記スタンドを使用することにより、使い勝手がよくなる。【０００６】  携帯端末の音声出力が中空構造部３に接続され、中空構造部３を音道として携帯端末の画面前方に音声を出力する音声出力部４を有した請求項１の携帯端末用スタンド。【０００７】  複数の音声出力を有した携帯端末に複数の中空構造部３と複数の音声出力部４を有した請求項２の携帯端末用スタンド。【０００８】  保持部１はＣ型アングル材とＬ型アングル材で構成され、保持部１のＣ型アングル材が音声出力部４を兼ねていることを特徴とする請求項２の携帯端末用スタンド。【０００９】  このように、携帯端末用スタンドに携帯端末からの音声を画面前方に出力できる構造を持たせて、携帯端末からの音声を聞き取りやすくする一方で、周りには音が漏れ難い構造にした。
【考案の効果】
【００１０】  このようなスタンドを使用することにより、使い勝手がよくなる。
【図面の簡単な説明】
【００１１】
【図１】本携帯端末用スタンドの構造の正面図、上面図及び側面図である。
【図２】本携帯端末用スタンドを実際に使用している状態を示す図である。
【考案を実施するための形態】
【００１２】  図１は本携帯端末用スタンドの構造を示した三角法に基づいた図で、正面の携帯端末の右側の短辺側に上下２つの音声出力を持つ。携帯端末を保持する保持部１はＣ型アングル材とＬ型アングル材を組合せた枠組みに中空構造部３を持つスポンジ製保持部１−１Ｒ、１−１Ｌ、１−２で構成される。上側の音声出力は保持部１−１Ｒの中空構造部３を通って音声出力４−Ｒから出力される。下側の音声出力は保持部１−１Ｌの中空構造部３を通ってさらに保持部１−２の中空構造部３を通り、支持部２の中空構造部３を通って音声出力４−Ｌから出力される。
【００１３】  図２は本携帯端末用スタンドを実際に使用している状態を示している。
【符号の説明】
【００１４】１  保持部
２  支持部
３  中空構造部
４  音声出力部
【図１】
0003208821.tif 000003
【図２】
0003208821.tif 000004
(57)【要約】      （修正有）【課題】工具不要で誰にでも簡単で安全に瞬時に着脱できる着脱式迷子札を提供する。【解決手段】迷子札ケース１と、ペットの所有者の名前や電話番号などを記入した迷子札プレート３と、留め具である接続具４、５を先端に取り付けたコの字型タグの３層から構成される迷子札で、コの字型タグの先端の長さを変化させることで多様な幅や厚みの首輪・胴輪に着脱することが出来る。ペットの首輪・胴輪に巻きつけて装着した時点で首輪・胴輪と一体となる機能を持ち、留め具である接続具が前方に位置するため、迷子札を装着した首輪・胴輪がペットの首に当たらず摩擦と衝撃を避けられる構造とする。【選択図】図２
0003208885.tif 000002
【実用新案登録請求の範囲】
【請求項１】
迷子札ケースとペットの所有者の名前や電話番号などを記入した迷子札プレートと留め具である接続具を先端に取り付けたコの字型タグの３層から構成される迷子札でコの字型タグの先端の長さを変化させることで多様な幅や厚みの首輪・胴輪に着脱することが出来る迷子札であり、ペットの首輪・胴輪に巻きつけて装着した時点で首輪・胴輪と一体となる機能を持ち、留め具である接続具が前方に位置するため迷子札を装着した首輪・胴輪がペットの首に当たらず摩擦と衝撃を避けられる構造とする着脱式迷子札
【請求項２】
請求項１に記載した迷子札を鞄や傘などの物品の持ち手及び取っ手に装着して認知症患者や児童などの物品に装着して利用できる着脱式迷子札
【考案の詳細な説明】
【技術分野】
【０００１】  本考案は多様な幅や厚みのあるペットの首輪・胴輪や認知症患者や児童などの鞄や傘などの物品の持ち手及び取っ手に装着する工具不要で簡単に安全で瞬時に着脱できる迷子札であり、シンプルなデザインにより首輪・胴輪や鞄や傘などの物品とデザインが一体化する機能的な着脱式迷子札である。
【背景技術】
【０００２】  従来の迷子札は下記特許文献１のように貴金属のリングが付いたプラスチック素材のプレートを首輪等に装着されているＤカンに取りつけるペンダント・トップとしての迷子札や下記特許文献２では迷子札に差し込みスペースを設けて首輪・バンドを取り付ける時計型の迷子札が開示されている。
【先行技術文献】
【特許文献】
【０００３】
【特許文献１】実用新案登録第３１１８５７５号  公報
【特許文献２】特開２００４−２２６９３５号  公報
【非特許文献】
【０００４】
【非特許文献１】株式会社ゼフィール（ＩＤＯＧ＆ＩＣＡＴ事業部）、ペットグッズカタログ、商品検索、迷子札、商品検索結果１〜６、［ｏｎｌｉｎｅ］、２００３、［平成２８年１０月２５日検索］、インターネット＜ＵＲＬ：ｈｔｔｐ：／／ｗｗｗ．ｉｄｏｇ．ｊｐ＞
【考案の概要】
【考案が解決しようとする課題】
【０００５】  従来の迷子札の主流であるペンダント・トップの迷子札は素材の重さによってはペットの首などに負担がかかりペンダント・トップが動くための振動音でペットが首輪・胴輪を装着することに抵抗を感じることや取付け位置が適切でない場合や外れた場合に誤飲や紛失の可能性がある。また鞄や傘などの物品の迷子札として持ち手や取っ手に装着する場合では、金具が緩んで紛失したり金具が固い場合は手に衝撃を受けることもある。差し込みスペースのある迷子札は首輪等の幅により差し込みに時間を要し着脱が簡単でなく差し込みスペースを設ける必要があり首輪やバントの用意が無ければ装着できない。本考案は非常に軽量なタグ型迷子札で首輪・胴輪や鞄や傘などの物品の持ち手及び取っ手に直接装着可能で多様な幅や厚みの首輪・胴輪や物品に対応し、留め具である接続具で安全に容易で瞬時に着脱できることで前述の欠点を解決しようとするものである。
【課題を解決するための手段】
【０００６】  本考案は迷子札本体の四隅に工具不要の留め具である接続具を装着したタグを取り付けるため多様な幅や厚みのペットの首輪・胴輪や物品にも瞬時に安全に取り付けられ着脱でき、デザインが首輪・胴輪や傘や鞄などの物品に装着しても違和感が無い素材の迷子札であるため首輪・胴輪や物品と一体化し更に留め具である接続具が外側に取り付けられているためペットの首や人の手に当たらず摩擦と衝撃を避けられる構造である。
【考案の効果】
【０００７】  本考案は、留め具である接続具を使用することにより工具不要でペットの首輪・胴輪や鞄や傘などの物品の持ち手や取っ手本体に迷子札を直接装着でき、迷子札ケースに取り付けられた留め具の接続具を外側に取り付けることにより留め具である接続具が首輪・胴輪や鞄や傘などの物品の持ち手及び取っ手に装着する際に外側の位置に取り付けるため多様な幅や厚みの首輪・胴輪や鞄や傘などの物品の持ち手及び取っ手に安全で瞬時に装着でき簡単に着脱可能でペットの首や人の手に当たらず摩擦や衝撃、誤飲などを避けられることができる。
【図面の簡単な説明】
【０００８】
【図１】本考案の着脱式迷子札の実施例を示す正面図
【図２】前方から見た留め具で留めていない状態の図
【図３】後方から見た留め具で留めていない状態の図
【図４】横から見た留め具を留めている状態の図
【図５】上から見た留め具を留めていない状態の図
【図６】本考案の実施例をペットの首輪につけた状態で示す図
【考案を実施するための形態】
【０００９】  ラベルシールに名前と電話番号などを印刷したものを小窓の開いた革又は合皮素材などの素材で挟み剥がれないように両サイドにミシンでステッチを掛けたものを抜型で抜き迷子札本体を作る。コの字型に抜いたペットの首輪・胴輪に巻きつけるためのタグとして合皮素材、革、軟質ビニールを用意し、上記に述べた迷子札の本体を留め具である接続具Ａで打ち付け一体型にする。コの字型に抜いた先端２カ所にも留め具である接続具Ｂを打ち付けペットの首輪・胴輪に巻きつけ留められるようにする。留め具はホックやマジックテープ、磁石ホック、ギボシなど留められるものならどのような留め具でも使用可能。またコの字型の脚の長さを数種類用意することで、多様な幅と厚みの首輪・胴輪に巻きつけることができる。
【００１０】  ペットの首輪・胴輪に装着し迷子札として使用する以外に鞄や傘などの物品の持ち手及び取っ手に装着できるため所有者と他者の物品を明確に区別するのに役立ち、また認知症患者や児童の迷子札として迷子防止にもなる。
【符号の説明】
【００１１】１  迷子札ケース
２  迷子札表示窓
３  迷子札プレート
４  接続具Ａ
５  接続具Ｂ
６  コの字型タグ
【図１】
0003208885.tif 000003
【図２】
0003208885.tif 000004
【図３】
0003208885.tif 000005
【図４】
0003208885.tif 000006
【図５】
0003208885.tif 000007
【図６】
0003208885.tif 000008
(57)【要約】      （修正有）【課題】洗濯物を収納するランドリーバッグに関し、一括して洗濯物を取り出してそのまま洗濯でき、さらに洗濯物の保管中に発生する悪臭を抑制する、さわやかに洗濯できる利便性のよいランドリーバッグを提供する。【課題手段】洗濯物を収納するランドリーバッグであって、該ランドリーバックは洗濯物を収納する内袋と、該内袋を収納する外袋からなり、該内袋及び該外袋とが面ファスナーによって少なくとも１か所以上で係合されており、該内袋が透水性のある生地からなり、該外袋を構成する生地の少なくとも内面の一部または全部が抗菌及び／または消臭性能を有する生地からなり、かつ外面は形状保持性を有する生地からなることを特徴とする、ランドリーバッグである。さらに、前記消臭及び／または抗菌性能を有する生地が不織布であってもよい。【選択図】図５
0003208889.tif 000002
【実用新案登録請求の範囲】
【請求項１】
洗濯物を収納するランドリーバッグであって、該ランドリーバックは洗濯物を収納する内袋と、該内袋を収納する外袋からなり、該内袋及び該外袋とが面ファスナーによって少なくとも１か所以上で係合されており、該内袋が透水性のある生地からなり、該外袋を構成する生地の少なくとも内面の一部または全部が抗菌及び／または消臭性能を有する生地からなり、かつ外面は形状保持性を有する生地からなることを特徴とする、ランドリーバッグ。
【請求項２】
前記抗菌及び／または消臭性能を有する生地が不織布である、請求項１に記載のランドリーバッグ。
【考案の詳細な説明】
【技術分野】
【０００１】
本考案は、汚れた洗濯物をまとめて収納でき、かつ収納している間で洗濯物から発生する臭気を抑え、さらに収納した洗濯物をまとめて洗濯できる、ランドリーバッグに関するものである。
【背景技術】
【０００２】
洗濯物をネット状の透水性のよい生地からなる袋、いわゆる洗濯ネットに収納してそのまま洗濯する手法は広く用いられており、各種の洗濯ネットが販売されている。この洗濯ネットは柔軟であり単独では形状保持性に欠けるため、これを別の外袋に収納した２重袋として開口状態で洗濯物を収納しやすくし、洗濯時には内部の洗濯ネットのみを取り出して洗濯できる工夫もなされている。（特許文献１）
一方、洗濯物には通常皮脂や汗が付着しており、洗濯に供されるまでの収納時間中に雑菌の繁殖による臭気が発生する状態になることがあり、取り出し時に不快感を覚える課題があった。
【先行技術文献】
【特許文献】
【０００３】
【特許文献１】実開平３−５１０１６
【考案の概要】
【考案が解決しようとする課題】
【０００４】
本考案は、汚れた洗濯物をまとめて収納でき、かつ収納している間で洗濯物から発生する臭気を抑え、さらに収納した洗濯物をまとめて洗濯できる、ランドリーバッグを提供することを目的とする。
【課題を解決するための手段】
【０００５】
上記目的を達成するために、以下のランドリーバッグの発案に至ることができた。すなわち、本考案は、洗濯物を収納するランドリーバッグであって、該ランドリーバックは洗濯物を収納する内袋と、該内袋を収納する外袋からなり、該内袋及び該外袋とが面ファスナーによって少なくとも１か所以上で係合されており、該内袋が透水性のある生地からなり、該外袋を構成する生地の少なくとも内面の一部または全部が抗菌及び／または消臭性能を有する生地からなり、かつ外面は形状保持性を有する生地からなることを特徴とする、ランドリーバッグである。さらに、前記消臭及び／または抗菌性能を有する生地が不織布であってもよい。
【考案の効果】
【０００６】
本考案は、洗濯物を収納するメッシュ生地からなる内袋と、これを支える外袋からなる２重袋であり、洗濯物を収納する際には、これらの袋は係合されている。
内袋の上部には、少なくとも１か所以上に面ファスナーが取り付けられており、外袋の上部の内面にも、内袋とを係合するように面ファスナーが取り付けられている。洗濯物を収納する際には、内袋の面ファスナーは外袋の面ファスナーに係合され、固定されている。また、収納した洗濯物を洗濯に供する際には、内袋と外袋の係合を外すことで、内袋のみを取り出して洗濯することができる。その際、洗濯中に内袋の面状ファスナーが糸と絡むことで係合機能が劣化することを防ぐため、内袋の面ファスナーのすぐ近傍には、洗濯中に面ファスナー係合部を保護する目的で別の面状ファスナーが備えつけられている。
さらに、内袋の上部の少なくとも一部は、ファスナーにより開口または閉鎖できるようになっており、洗濯物を収納する際には開口状態とし、洗濯に供する場合には閉鎖することができるため、汚れた洗濯物をまとめて収納できるとともに、収納した洗濯物をまとめて洗濯することができる。
外袋を構成する生地の内側の少なくとも一部または全部には、消臭及び／または抗菌性能を有する生地を配置されている。この生地により、洗濯に供されるまでの収納時間中の雑菌の繁殖を抑制し、かつ消臭することができるため、洗濯物を収納している間や洗濯時に内袋を取り出す際に、洗濯物から発生した臭気で不快感を覚えることなく、洗濯を行うことができる。消臭及び／または抗菌性能を有する生地の種類は特に限定されないが、例えば銀系の抗菌剤を練り込んだポリプロピレン製のスパンボンド不織布にて、JIS L1902菌液吸収法での試験方法で測定した場合、黄色ブドウ球菌の抗菌活性値2.2以上を示すものを、抗菌性能を有する生地として用いることもできる。また、例えば両性物質を含む消臭剤を練り込んだポリプロピレン製のスパンボンド不織布にて、繊維評価技術協議会の定める消臭試験方法のガスクロマトグラフ法でアンモニア・酢酸・硫化水素につき有効と認定されるものを、消臭性能を有する生地として用いることもできる。
この消臭及び／または抗菌性能を有する生地を形状保持性の良い生地からなる外袋の生地と組み合わせて、外袋の内面に配置することにより、効率的に抗菌効果及び消臭効果を発揮することができる。外袋の外面の生地は、形状保持性の良い生地であれば特に限定されず、各種の色やデザインがほどこされていてもよい。外袋には、持ち運びしやすいように、取っ手がついていてもよい。
【図面の簡単な説明】
【０００７】
【図１】開口状態の内袋
【図２】閉鎖状態の内袋
【図３】面状ファスナー（装着時と洗濯時）
【図４】外袋
【図５】外袋に内袋を装着し、内袋が開口した状態
【符号の説明】
【０００８】
（ａ）：面ファスナー
（ｂ）：ファスナー
（ｃ）：メッシュ生地
（ｄ）：外袋の内面
（ｅ）：外袋の外面
（ｆ）：取っ手
【図１】
0003208889.tif 000003
【図２】
0003208889.tif 000004
【図３】
0003208889.tif 000005
【図４】
0003208889.tif 000006
【図５】
0003208889.tif 000007
(57)【要約】      （修正有）【課題】噴射されてきたガソリン液滴をガス状に昇華させることによってガソリン分子が酸素と十分に接触し、エンジンシリンダ内のガソリンが十分に燃焼することを保証し、かつ汚染排出を低下させるガソリン気化装置を提供する。【解決手段】ガソリン気化装置は気化器ハウジング１を含み、気化器ハウジング１に、一方の端がガソリン給油管７に接続され、他方の端が気化器ハウジング１のキャビティ３と連通する電子制御給油ノズル２が装着され、キャビティ３に電気加熱素子４が装着され、キャビティ３に気化物出口５が設置され、キャビティ３に装着された電気加熱素子４には制御可能な電源６が接続されている。【選択図】図１
0003212777.tif 000002
【実用新案登録請求の範囲】
【請求項１】
気化器ハウジングを含むガソリン気化装置であって、
気化器ハウジングに、一方の端がガソリン給油管に接続されており、他方の端が気化器ハウジングのキャビティと連通する電子制御給油ノズルが装着されており、
キャビティに電気加熱素子が装着されており、キャビティに気化物出口が設置されていることを特徴とするガソリン気化装置。
【請求項２】
キャビティに装着された電気加熱素子には制御可能な電源が接続されていることを特徴とする請求項１に記載のガソリン気化装置。
【考案の詳細な説明】
【技術分野】
【０００１】
本考案はガソリンエンジンに用いられたガソリン気化装置に関する。
【背景技術】
【０００２】
現在ガソリンエンジンの熱効率は約３０％に過ぎない。熱効率が低い原因の一つは一部のガソリンが燃焼して稼働せず、気体状態の炭化水素化合物の形でエンジンから排出されてしまうことにある。従来技術においてガソリンがノズルにより霧化された後にシリンダに入るが、ノズルの霧化効果にもかかわらず、シリンダ内に入ったガソリンが小顆粒状態を呈し、顆粒が空気と十分に接触することができないため、燃焼不十分という結果をもたらす。従って機械の熱効率を向上させてかつエンジンの汚染気体排出を低下させるように、ガソリンがシリンダ内に十分に燃焼することができる装置を開発することは急務である。
【考案の概要】
【課題を解決するための手段】
【０００３】
本考案の目的は、従来のガソリン霧化技術ではガソリンが十分に燃焼しないという問題を解決してガソリン気化装置を提供することである。本考案は、気化器ハウジングを含むガソリン気化装置であって、気化器ハウジングに、一方の端がガソリン給油管に接続され、他方の端が気化器ハウジングのキャビティと連通する電子制御給油ノズルが装着され、キャビティに電気加熱素子が装着され、キャビティに気化物出口が設置され、キャビティに装着された電気加熱素子には制御可能な電源が接続されていることを特徴とする気化器ハウジングを設計する。本考案の長所はガソリンが熱を受けると気化するという原理を利用し、噴射されてきたガソリン液滴をガス状に昇華させ、気化したガソリンがガソリン分子団の最小形式であるため、ガソリン分子と酸素との接触の最大化を達成することができ、この場合、他の同じ条件下でエンジンシリンダ内のガソリンが燃焼の最大化を達成し、つまり最も十分な燃焼及び最小汚染排出を達成することができることである。
【図面の簡単な説明】
【０００４】
【図１】添付図面は本考案のガソリン気化装置の構造模式図である。
【考案を実施するための形態】
【０００５】
図１に示された気化器ハウジング１を含むガソリン気化装置は、気化器ハウジングに、一方の端がガソリン給油管７に接続され、他方の端が気化器ハウジングのキャビティ３と連通する電子制御給油ノズル２が装着され、キャビティに電気加熱素子４が装着され、キャビティに気化物出口５が設置され、キャビティに装着された電気加熱素子には制御可能な電源６が接続されていることを特徴とする。
【０００６】
使用の際に、ガソリンはガソリンポンプでタンクから吸い出され、給油管路を通してガソリン給油管７から電子制御給油ノズルに入り、その後に気化器ハウジングのキャビティ内に噴射され、ガソリンがキャビティ内に加熱されて気化し、気体状態を呈して気化物出口から送り出され、かつエンジン内に入って空気と混合してから、共にシリンダ内に吸い込まれ、後に圧縮、点火、爆発、排気の4つの行程を完成する。制御可能な電源６は加熱部品に電気エネルギーを提供する。
【０００７】
本考案はガソリンの燃焼効果の向上に着目し、炭化水素化合物の酸化反応率の向上に着手する。ガソリンエンジンの稼働原理は、ガソリンが電子制御給油ノズルを通ると、電子制御給油ノズルがガソリンを気化器ハウジングのキャビティ内に噴射し気化させた後にエンジンのシリンダ内に入らせて燃焼させ、シリンダ内のガス化したガソリンと空気とを約１：１４の割合で混合し、その後に圧縮されて爆発し（酸化反応）、ガソリンエンジンの稼働を完成することである。その化学反応方程式は
2C8H18+25O2→16CO2+18H2O
である。
該化学反応方程式は、ガソリンエンジンの稼働程度がガソリンの化学酸化反応率によることを示す。
【図１】
0003212777.tif 000003
(57)【要約】      （修正有）【課題】従来の畳に比べて耐久性（耐摩耗性）が極めて高く、仮に旅行者が畳の上で重い荷物を引きずったとしてもまったく摩耗せず数年から数十年は交換不要となる畳を提供する。【解決手段】繊維強化樹脂のファイバーで織られた畳表１１０を、畳床１３０のおもて面に組み合わせ、畳表のサイドを畳床の側面に折り返した状態で畳表と畳床とを熱プレスにより接着して畳とする。畳表１１０と畳床１３０との間にはクッションを持たせる不織布シート１４０が介装されている。【選択図】図５
0003212718.tif 000002
【実用新案登録請求の範囲】
【請求項１】
繊維強化樹脂１１２のファイバーで織られた畳表１１０を、畳床１３０のおもて面に組み合わせ、前記畳表１１０のサイドを前記畳床１３０の側面に折り返した状態で前記畳表１１０と前記畳床１３０とを接着してなる畳。
【請求項２】
請求書１に記載の畳において、
前記畳表１１０と前記畳床１３０との間にはクッション性を持たせる不織布シート１４０が介装されている畳。
【考案の詳細な説明】
【技術分野】
【０００１】
本考案は畳に関する。
【背景技術】
【０００２】
近年、訪日する外国人観光客が増加しており、さらに東京オリンピックも開催されることから、ますます訪日外国人の増加が期待されている。
外国人には「和風」が好まれることから、旅館や民泊宿はもちろん、ホテルでも内装を和風にすることが増えてきている。
和風の内装の中でも特に人気なのが畳であり、宿泊者の居室内はもちろんのこと、エントランス（玄関）や廊下も畳敷きにする内装も増えてきている。
【考案の概要】
【考案が解決しようとする課題】
【０００３】
外国人観光客の趣向に応えて畳敷きにするのはよいが、１つ問題がある。
外国人にとっては畳も床材であって、畳は傷み易いとか編み目の方向がある、などとは思いもよらず、畳の上であってもキャスター付きスーツケースをゴロゴロ引いたり、荷物を引きずったりしてしまう。
旅行者の荷物は相当な重量であるから、天然の藺草の畳では、エントランスや廊下はもちろん、居室用の畳であっても数日ももたない。
【０００４】
天然藺草の畳表に代えて樹脂製の畳表も実用化されており、例えばポリプロピレンのシートに畳の模様を転写したものや、ポリプロピレンのフィラメントを畳のように編んだものもある。
しかし、従来の樹脂製（例えばポリプロピレン製）の畳表は、液体（お茶やジュース）が浸み込みまず、掃除が楽というのが主な特長であった。
天然の藺草に比べると耐久性もあるし、畳の扱いを知っている日本人にとってはメンテナンス不要の半永久品といえるようなものであるが、外国人旅行者がスーツケースを引きずったりすれば、当然ながら無残に損傷する。
旅館やホテル、民泊宿の経営者にすると、毎月のように床材（畳）のメンテナンスや張り替えが発生するとなると、費用も手間もかかる。
従来品をはるかに超える耐久性を有する畳ユニットが求められている。
【課題を解決するための手段】
【０００５】
本考案の畳１００は、
繊維強化樹脂１１２のファイバーで織られた畳表１１０を、畳床１３０のおもて面に組み合わせ、前記畳表１１０のサイドを前記畳床１３０の側面に折り返した状態で前記畳表１１０と前記畳床１３０とを接着してなる。
【０００６】
本考案では、
前記畳表１１０と前記畳床１３０との間にはクッション性を持たせる不織布シート１４０が介装されている
ことが好ましい。
【図面の簡単な説明】
【０００７】
【図１】本考案の畳の外観斜視図である。
【図２】畳１００のおもて面を構成する畳表１１０の組織を表す図である。
【図３】畳表１１０の織り組織の様式図である。
【図４】畳の製造工程を説明する模式図である。
【図５】畳の製造工程を説明する模式図である。
【図６】畳の製造工程を説明する模式図である。
【考案を実施するための形態】
【０００８】
本考案の実施形態を図示するとともに図中の各要素に付した符号を参照して説明する。
図１は、本考案の畳の外観斜視図である。
本考案の畳１００は、外観上は従来の畳１００と変わることなく、縦が８００〜１０００ｍｍ、横が８００〜１９００ｍｍ、厚みが１５〜５５ｍｍの畳１００である。
図２は、畳１００のおもて面を構成する畳表１１０の組織を表す図である。
また、図３は、畳表１１０の織り組織の様式図である。
【０００９】
畳表１１０は、従来の畳と同じように繊維（ファイバー）を織ったものであるが、繊維としては繊維強化樹脂１１２を用いている。
繊維強化樹脂１１２のマトリックス母材となる樹脂としては、塩化ビニル、ポリエチレン、ポリエステル、ポリプロピレン、ＡＢＳ樹脂、ＰＥＴなどが挙げられ、なかでも塩化ビニルが好適である。繊維強化樹脂１１２に混入させる繊維としては、グラスファイバー、アラミド、ポリエステル、ボロンファイバーが例として挙げられる。
【００１０】
畳表１１０に畳床１３０を組み合わせて畳１００にする。
図４に示すように畳表１１０と畳床１３０との間に不織布シート１４０を配する。
畳表１１０と不織布シート１４０との間、および、畳床１３０と不織布シート１４０との間を接着剤１６１で接着する。
【００１１】
次に、図５に示すように、畳表１１０のサイドを畳床１３０の裏側に巻き返し、畳床１３０の側面から裏面にかけて接着剤１６２を塗布し、さらに加熱プレスする。
【００１２】
次に、図６に示すように、畳床１３０の裏面に段差がなくなるように不織布シート１４０を貼り、裏面材として熱融着シート１５０を貼る。
【００１３】
なお、不織布シート１４０はクッション性を持たせるためのものであり、居室用の畳１００には不織布シート１４０があった方がよいが、廊下やエントランス、ロビー用の畳１００にはなくてもよい。
従来の天然藺草や従来の樹脂製（例えばポリプロピレン製）の畳表であればそれ自体がある程度の柔らかさを兼ね備えており、少しクッション性を持っているが、本考案のように極めて強度が高く耐久性のある素材を用いた畳表１１０となるとやや堅く感じることも有り得る。そこで、不織布シート１４０を畳表１１０と畳床１３０との間に介装しておくことでちょうどよいクッション性を得ることができる。
【００１４】
以上に説明した畳１００は、従来の畳に比べて耐久性（耐摩耗性）が極めて高く、仮に旅行者が畳の上で重い荷物を引きずったとしてもまったく摩耗せず数年から数十年は交換不要となる。
【００１５】
なお、本考案は上記実施の形態に限られたものではなく、趣旨を逸脱しない範囲で適宜変更することが可能である。
【図１】
0003212718.tif 000003
【図２】
0003212718.tif 000004
【図３】
0003212718.tif 000005
【図４】
0003212718.tif 000006
【図５】
0003212718.tif 000007
【図６】
0003212718.tif 000008
(57)【要約】      （修正有） 【課題】ショルダーバッグ等の肩掛け携帯品の肩掛けベルトに装着して使用する肩当てにおいて、長時間携行時の肩の苦痛を軽減させる。【解決手段】肩当ては、適宜幅の緩衝帯体１であり、表面にベルト装着部を設けると共に、裏面に前後中央適宜範囲が凹んでなる中央凹部３を設け、中央凹部３の前後に、肩装着時に肩の表背位置と当接する緩衝圧迫突起部４を設け、肩掛け携帯品の肩掛けベルトに装着して携行する際に、緩衝圧迫突起部４が、僧帽筋、肩甲挙筋、三角筋、大胸筋等の筋始近位部位を押圧刺激して、各筋の過度の緊張を解き、逆に弛緩している場合には適度な緊張収縮を促す。【選択図】図１
0003212740.tif 000002
【実用新案登録請求の範囲】
【請求項１】
適宜幅の緩衝帯体で、表面にベルト装着部を設けると共に、裏面の前後中央適宜範囲が凹んでなる中央凹部を設け、前記中央凹部の前後に、肩装着時に肩の表背位置と当接する緩衝圧迫突起部を設けてなることを特徴とする肩当て。
【請求項２】
緩衝圧迫突起部の一方の側辺が高く、緩衝圧迫突起部が傾斜面としてなる請求項１記載の肩当て。
【請求項３】
緩衝帯体の長手方の中央凹部の長さが４〜１０ｃｍで、同緩衝圧迫突起部が７〜１５ｃｍである請求項１又は２記載の肩当て。
【考案の詳細な説明】
【技術分野】
【０００１】
本考案は、ショルダーバッグ等の肩掛け携帯品の肩掛けベルトに装着して使用する肩当てに関するものである。
【背景技術】
【０００２】
肩掛け携帯品の携行は、肩掛けベルトを肩から下げてなされるが、肩への負担を軽減するために、従前から肩掛けベルトに装着する肩当てが提案されている（特許文献１，２，３）。
【０００３】
これらの公知の肩当ては、基本的に肩当てベルトへ装着し、当該ベルトを肩掛けした際に当該ベルトが肩に食い込むのを防止するために、肩との当接面に緩衝材を設けるようにしているものである。
【先行技術文献】
【特許文献】
【０００４】
【特許文献１】特開２０００−１４４２３号公報。
【特許文献２】特表２００３−５３４０２９号公報。
【特許文献３】登録実用新案第３０９２１０４号公報。
【考案の概要】
【考案が解決しようとする課題】
【０００５】
前記した従前の肩当ては、緩衝材の採用で肩に加わる荷重による痛みを軽減することを目的としているものであるが、短時間の肩掛け携帯であれば何らの支障はないが、長時間の携帯においては、肩上部（肩甲挙筋、僧帽筋）を狭い範囲で、しかも重力方向に圧迫することとなるので、筋肉の働き（筋肉の伸展の動作）を疎外し、前記の圧迫は肩の痛みとして発現し、耐え難いものとなる。
【０００６】
そこで本考案は、筋肉への所定位置（筋尾近位）への刺激（押圧）による筋肉の負担分担に着目し、新規な肩当てを提案したものである。
【課題を解決するための手段】
【０００７】
本考案に係る肩当ては、適宜幅の緩衝帯体で、表面にベルト装着部を設けると共に、裏面の前後中央適宜範囲が凹んでなる中央凹部を設け、前記中央凹部の前後に、肩装着時に肩の表背位置と当接する緩衝圧迫突起部を設けてなることを特徴とするものである。
【０００８】
しかして前記肩当てを装着対象の肩掛け携帯品の肩掛けベルトの所定位置に装着し、肩掛け携行を行うと、緩衝圧迫突起部は、僧帽筋、肩甲挙筋、三角筋、大胸筋等の筋始近位部位を押圧した状態での携行となる。従って前記各筋の過度の緊張を解き、逆に弛緩している場合には適度な緊張収縮を促して、携帯品の荷重の負担を各筋に分散させるものである。
【０００９】
また本考案（請求項２）記載に係る肩当ては、緩衝圧迫突起部の一方の側辺が高く、緩衝圧迫突起部が傾斜面としてなるもので、肩及び肩前後面の傾斜に対応して当接するので、肩ベルトのズリ地が防止されると共に、所定の筋肉の押圧部位も平均化される。
【考案の効果】
【００１０】
本考案の構成は上記のとおり、単なる肩への荷重を和らげる緩衝機能の他に、肩の所定位置を押圧する緩衝圧迫突起部を設けたもので、肩掛け携帯品の携行に際して前記緩衝圧迫突起部の刺激によって、携行品の荷重の負担を広い範囲の筋肉で分担し、長時間の肩掛け携行の苦痛を軽減したものである。
【図面の簡単な説明】
【００１１】
【図１】本考案の実施形態の全体斜視図（裏面）。
【図２】同図（表面）。
【図３】同使用状態を示す図。
【考案を実施するための形態】
【００１２】
次に本考案の実施形態について説明する。実施形態に示した肩当ては、緩衝帯体１で、表面にベルト装着部２を設けると共に、裏面の前後中央に形成した中央凹部３と、前記中央凹部３の前後に、肩装着時に肩の表背位置に当接する緩衝圧迫突起部４を設けたものである。
【００１３】
緩衝帯体１は、使用対象の肩掛け携帯品Ａの肩紐Ｂに対応する適宜幅（７〜８ｃｍ程度）で、適宜な長さ（２０〜４０ｃｍ程度）の大きさで、厚手の帆布で形成したベース部１１と、クッション材で適宜厚さ及び形状に形成した緩衝部１２と、裏面全体を覆うカバー部（二重に重ねた網状布）１３を重ね、縁取り部１４及び中央凹部３と緩衝圧迫突起部４の仕切り部分で、全体を一体に縫合しているものである。
【００１４】
ベルト装着部２は、緩衝帯体１の表面に設けたもので、緩衝帯体１の対向する両側の縁取り部１４に縫合した舌片２１を、互いに重ね合わせ可能な大きさとし、前記舌辺２１の重ね合わせ部分を面ファスナー２２としたものである。
【００１５】
中央凹部３と緩衝圧迫突起部４は、緩衝部１２の大きさ及び形状を適宜選択することで形成されるもので、中央凹部３の長さａが４〜１０ｃｍの範囲で形成し、緩衝圧迫突起部４の長さｂが７〜１５ｃｍの範囲で、肩当てを使用して肩に当接した際に、僧帽筋、肩甲挙筋、三角筋、大胸筋等の筋始近位部位を押圧する位置としたものである。また緩衝圧迫突起部４は、一方の側辺の高さｃが他方の側の側辺の高さｄよりも高くして、緩衝圧迫突起部４の上面（肩当接面）を傾斜面としたものである。
【００１６】
而して前記肩当てを装着対象の肩掛け携帯品Ａの肩掛けベルトＢに装着し、肩掛け携行を行うもので、肩掛け携行時に、携帯品Ａの重量によって肩上面に中央凹部３が当接すると共に、緩衝圧迫突起部４が、僧帽筋、肩甲挙筋、三角筋、大胸筋等の筋始近位部位を押圧する。
【００１７】
従って携帯品Ａの携行は、前記の筋肉所定位置への押圧刺激となり、この押圧刺激によって前記各筋の過度の緊張を解き、逆に弛緩している場合には適度な緊張収縮を促すことになり、携帯品Ａの肩への荷重の負担を広い範囲の筋肉で分担し、長時間の肩掛け携行の苦痛を軽減したものである。
【符号の説明】
【００１８】
１      緩衝帯体
１１    ベース部
１２    緩衝部
１３    カバー部
１４    縁取り部
２      ベルト装着部
２１    舌片
２２    面ファスナー
３      中央凹部
４      緩衝圧迫突起部
【図１】
0003212740.tif 000003
【図２】
0003212740.tif 000004
【図３】
0003212740.tif 000005
(57)【要約】      （修正有）【課題】出演者の晴れのファッション性を損なう事なく、音声、衣類担当の方等の便利な道具として役立つマイク取付補助の道具を提供する。【解決手段】アルファベットの逆ユーの字のピン状留め具２の取付部と、前記取付部に接合した湾曲する支柱１とで構成され、着衣内使用の為、使用場所を選択出来、使用形状を限定しない為、目的の、安定保持を高める箇所、位置を選択出来る湾曲する支柱１で有る事を特徴とする。【選択図】図１
0003212781.tif 000002
【実用新案登録請求の範囲】
【請求項１】
マイク等を付けた為に、その衣服の望ましい衿元の位置が下がる等のファッション性を出来るだけ損なわずにマイク等を着衣した衿ぐり等に付ける為の考案。
【請求項２】
上記請求項１の考案を、外観上は目立たない様に実行する為、衣服裏に使用する考案。
【請求項３】
簡単な取り扱いである様に、支柱を自在な位置で手で曲げる考案。
【請求項４】
装着する物である為、軽量である様に、留め具にピン状の物を使用する考案。
【請求項５】
バスト用アンダーウェアは高価な物が多いと思われる為、そこに留めるピン状の物は、生地を傷めぬ様、又肌に当たる為痛くない様に、引っ掛かりの無い先の丸い物を使用する
【考案の詳細な説明】
【技術分野】
【０００１】  本考案は、ファッションの風貌を重視し、湾曲する支柱と、ピン状留め具の取付部で、構成する、マイク等の取付を補助する道具である。
【背景技術】
【０００２】  映像拝見時、出演者の胸元等に付けたマイク等の重量により、衿ぐり等の下がりや、変形等、風貌が損なわれる事が気になる。
【考案の概要】
【考案が解決しようとする課題】
【０００３】  ファッションは、出演者にとって、重要な事であると考えられ、口元付近に必要なマイク等を付ける際、その重量で、直線の衿ぐりが曲線になる、丸い衿ぐりの一部が直線になる。
上部を開けたスタンドの衿が、倒れる等の極端な風貌の劣化を回避する。
【課題を解決するための手段】
【０００４】  バスト用アンダーウェア、惑いは胸部サポーターに付ける為の、湾曲する、直径２ミリメートル程、完成全長３７センチメートル程の棒を作成。それを支柱とし、胸部から衿、又は衿ぐり迄（マイク等を付ける位置迄）の範囲内で曲げ、長さを調節。衿縁、衿ぐり等に付けたマイク等の重量を、着位の裏側から支え、衿ぐり等と共にマイクで挟み、マイク等の重量による、衿等の変形を回避する。
【考案の効果】
【０００５】  上述０００２の理由による、出演者の晴れのファッション制を損なう事なく、音声、衣類担当の方等の便利な道具として役立つ。
【考案を実施するための形態】
【０００６】  支柱を作成する。直径１ミリメートル程の針金等を、幅１．５×長さ４．５センチメートル程で、一辺を図２の２状態に作成した留め具と図２の様に接合する。
針金（支柱）は２本取り状で全長をきっちりねじり、完成全長を３７センチメートル程とし、湾曲する棒を作成。ピン状部は、バスト用アンダーウェア惑いは、胸部サポーターに上辺方向から押し下げる様にして挟む。その際、図２の逆ユー（アルファベット）の字部分を使用する。（この部分はピン状部の弾性を戻す為に、ピンの方へ押しても使用する。）
支柱下方の安定の調節。マイク等を付ける衿位置辺り迄の長さで隠す為と安定の為、アルファベットのエスの形やカタカナのコの字様に曲げて図１の様に使用する。
衿付近の方に位置する支柱先端を輪状に作成すれば、マイクホルダーとして使用可能。
【図面の簡単な説明】
【０００７】
【図１】本考案の道具を着衣に使用する例
【図２】本考案に使用する道具の部分名
【図１】
0003212781.tif 000003
【図２】
0003212781.tif 000004
【手続補正書】
【提出日】平成29年7月18日(2017.7.18)
【手続補正１】
【補正対象書類名】実用新案登録請求の範囲
【補正対象項目名】全文
【補正方法】変更
【補正の内容】
【実用新案登録請求の範囲】
【請求項１】
アルファベットの逆ユーの字のピン上留め具の取付部と、前記取付部に接合した湾曲する支柱とで構成され、着衣内使用の為、使用場所を選択出来、使用形状を限定しない為、目的の、安定保持を高める箇所、位置を選択出来る湾曲する支柱で有る事を特徴とする、マイク取付補助の道具。
(57)【要約】      （修正有）【課題】ルールが簡単で奥が深いボードゲームを提供する。【解決手段】碁盤状のボードの上で対戦する五目並べゲームであるが、先手側の石と後手側の石が連なった複数種類の石を有する。このように先手後手の石が連なることで、攻防のバリエーションが増え、どのように石を五つ並べるか多彩な展開が可能な囲碁のように奥が深いゲームである。【選択図】図１
0003212789.tif 000002
【実用新案登録請求の範囲】
【請求項１】
碁盤状のボードの上で対戦する五目並べゲームにおいて、先手側の石と後手側の石が連なった石（３連１０種類、２連１種類）を使用し、攻防のバリエーションが豊富であることを特徴とするボードゲーム。
【考案の詳細な説明】
【技術分野】
【０００１】
【背景技術】
【０００２】
【先行技術文献】
【０００３】
【特許文献１】
【０００４】
【非特許文献１】
【考案の概要】
【考案が解決しようとする課題】［従来の代表的なボードゲーム・五目並べでは、石が白黒２種類で、先手が有利な単純なゲームであったが、ルールが簡単で奥が深いボードゲームを提供する。］
【課題を解決するための手段】［先手後手の石が連なることで、攻防のバリエーションが増え、どのように石を五つ並べるか多彩な展開が可能な囲碁のように奥が深いゲームである。］
【考案の効果】［本考案は、相手石が見える構成とし、先に縦横斜めに五目並べば勝ちのルールとした。しかし、従来の五目並べと異なり、石が先手石と後手石が連なっていることにより、本ゲームの進展予測は困難で、年齢制限なく・短時間で勝敗が付き、思索力や推理力育成に資する公平で実用的なボードゲーム実用的なボードゲームである。］
【図面の簡単な説明】［１４マス×１４マスの盤面を使用。石は、先手後手ともに３連１０種類、２連１種類の石を使用。］
【図１】
0003212789.tif 000003
【考案を実施するための形態】
［先手プレイヤーからコマを１つずつ置いていく。
※最初に置くコマの種類、場所に制限はない。
※置き方は垂直、水平方向のみで、斜め置きはできない。
後手プレイヤーもコマを１つずつ置いていく。
※先手プレイヤーと同じく最初に置くコマの種類、場所に制限はない。
※置き方は垂直、水平方向のみで斜め置きはできない。
※隣接して置いても、離して置いても構わない。
先手プレイヤー、後手プレイヤー、どちらかがタテ、ヨコ、ナナメのいずれかで、プレーヤーの色を５つ並べたら勝ちとなる。］
【実施例１】
0003212789.tif 000004
【実施例２】
0003212789.tif 000005
【図１】
0003212789.tif 000006
【図２】
0003212789.tif 000007
【図３】
0003212789.tif 000008
【図４】
0003212789.tif 000009
【手続補正書】
【提出日】平成29年7月11日(2017.7.11)
【手続補正１】
【補正対象書類名】実用新案登録請求の範囲
【補正対象項目名】全文
【補正方法】変更
【補正の内容】
【実用新案登録請求の範囲】
【請求項１】
碁盤状のボードの上で対戦する五目並べゲームであるが、先手側の石と後手側の石が連なった複数種類の石を有し、攻防のバリエーションが豊富であることを特徴とするボードゲーム。
【手続補正３】
【補正対象書類名】明細書
【補正対象項目名】全文
【補正方法】変更
【補正の内容】
【考案の詳細な説明】
【技術分野】
【０００１】本考案は、従来の代表的なボードゲーム「五目並べ」が、石を白黒２種類１個ずづ置いて行われるのに対して、複数種類の連なった石を使用する。
【背景技術】
【０００２】本考案は、従来の代表的なボードゲーム「五目並べ」の対戦形式を使用。
【先行技術文献】
【０００３】
【特許文献１】
【０００４】
【考案の概要】
【考案が解決しようとする課題】
【０００５】従来の代表的なボードゲーム「五目並べ」では石を白黒の２種類各１個ずつ置いて行われ、５個の石を並べるだけの先手が有利な単純なゲームであったが、複数種類の連なった石を使用することで、石を５個並べるという単純なルールでありながら、奥の深いボードゲームを提供する。
【課題を解決するための手段】
【０００６】先手石と後手石が連なることで、攻防のバリエーションが増え、どのように石を五つ並べるか、多彩な展開が可能な、囲碁のように奥が深いゲームである。
【考案の効果】
【０００７】本考案は、相手石が見える構成とし、五目並べ同様、先に縦横斜めに５個の石を並べれば、勝ちのルールとした。しかし、従来の五目並べと異なり、先手石と後手石が連なっていることことにより、本ゲームの進展予測は困難で、思考力や推理力育成に役立ち、年齢制限なく、公平で実用的なボードゲームである。
【図面の簡単な説明】
【０００８】
【図１】先手が使用する３連石（赤）を表す図
【図２】後手が使用する３連石（青）を表す図
【図３】先手・後手共通で使用する２連石を表す図
【図４】ゲーム盤（１４×１４マス）を表す図
(57)【要約】      （修正有）【課題】冷凍後もシャーベット状を保つ流動型保冷剤を提供する。【解決手段】ジェリ形の保冷剤Ｂに自動車用クーラント材Ａを混合する事により形成され、−３０℃で凍結後も化学反応にてやわらかさを保つ流動型保冷剤であり、所定の容器に収容される。密閉する事により安全がたもたれ、熱伝導により、各局部に熱が伝わり冷却できる。簡単に安値で製造が出来る。【選択図】図１
0003212790.tif 000002
【実用新案登録請求の範囲】
【請求項１】
保冷剤  ジェリ形に自動車用クーラント材を混合する事により
化学反応により塊ない氷（保冷剤）が出来る物である
【請求項２】
上書の保冷剤を完全に密閉する事により安全が保れ
くりかえし、使用が出来る物である
【考案の詳細な説明】
【技術分野】
【０００１】市販の保冷剤  ジェリ型  ＤＣｍ  ホールディングス社
自動車・ラジェター用  クーラント材  オートバックスセブン社
成分  エチレングリコール（４５〜５０％）
防錆剤
を混合し、冷凍庫により、氷らす事により、約−３０℃にてシャベット状の氷になり、
さらに完全に密閉する事により、安全がたもたれ
高温時に冷却する物であり
さらに氷の塊でないため、自由な形に変わり
安値で製造できる物である
【背景技術】
【０００２】従来の冷却は、氷の塊などにより、冷却分部にたいし密着が悪く塊のため冷却分内部にたいし衝撃がおこる、おそれがある
【先行技術文献】
シャベット状のため冷却分部に衝撃のおそれがなく
密着が良いために、衝撃を緩和できる物であり
さらに
熱伝導もシャベット状のため順調に行われる物である。
【考案の概票】
【考案が解決しようとする課題】
【０００４】高温時の冷却分部を衝撃などによりきずつける事なく冷却し、さらにシャーベット状のために、自由な形状になる物である。
【課題が解決するための手段】
【０００５】氷の塊でなく、シャベット状であり熱伝導が順調におこなわれる物である
【考案の効果】
【０００６】シャーベット状の液体のためにやわらかさを保ち冷却部分に密着し、
安値において製造がかのうな物である。
【図面の簡単な説明】
【０００７】
【図１】正面図（混合図）
【図２】正面図（冷凍用容器）
【考案を実族するための形能】
【０００８】以下本発明を実施するための形能を説明する
市販の保冷剤  ジェリ形に自動車用クーラント材を混合し、化学反応により
冷凍庫にて、塊らない保冷剤が出来る物である。
さらに
「０００１」の保冷剤の作り方に対して
市販エタノール（Ｃ２Ｈ６Ｏ）と加工澱粉（株）大阪糊本舗社において混合し、冷凍庫により冷却する事により
かたまりにならず粉状能になり、「０００１」同様に使用できる物である
以上の事から物質がアルコールにて化学反応により分解され
アルコールの氷点にちかい温度にて新な物質ができ、
かたまりとならない物であり、以上の方式を提供する物である
【符号の説明】（図１）
0003212790.tif 000003
（図２）
〔Ｄ〕混合材を安全な容器に入れ物である
【図１】
0003212790.tif 000004
【図２】
0003212790.tif 000005
【手続補正書】
【提出日】平成29年7月12日(2017.7.12)
【手続補正１】
【補正対象書類名】実用新案登録請求の範囲
【補正対象項目名】全文
【補正方法】変更
【補正の内容】
【実用新案登録請求の範囲】
【請求項１】
ジエリ形の保冷剤に自動車用クーラント材を混合することにより形成された、−３０℃にて固まらない流動型保冷剤であって、所定の容器に収容されていることを特徴とする、流動型保冷剤。
【請求項２】
請求項１に記載の流動型保冷剤であって、前記所定の容器に完全に密閉されており、保冷剤としてくりかえし使用可能である、ことを特徴とする流動型保冷剤。